Podtech/llm-jp-corpus-v4-ja_patent huggingface dataset:
(57)【要約】      （修正有）【課題】大人の指でキーを押さえ込む場合、隣接するキーへの干渉をさける必要がある。その為、一定の大きさ（幅）以下に設計することが困難である。【解決手段】一つの指で「２つ以上のキー」を同時に押すことを前提に設計することにより、従来のキーの配列の約２分の１から約４分の１のスペースで設計可能となる。【選択図】図１
0003102631.tif 000002
【実用新案登録請求の範囲】
【請求項１】
一つの指で二つ以上のキーを同時に押すことを前提としたキー入力装置。
【考案の詳細な説明】
【技術分野】
【０００１】キー入力装置。
【背景技術】
【０００２】一つの指で一つのボタンを押す設計である。
【考案の開示】
【考案が解決しようとする課題】
【 】
大人の指でキーを押さえ込む場合、隣接するキーへの干渉をさける必要がある。その為、一定の大きさ（幅）以下に設計することが困難である。
【課題を解決するための手段】
【 】
一つの指で「２つ以上のキー」を同時に押すことを前提に設計することにより、従来のキーの配列の約２分の１から約４分の１のスペースで設計可能となる。
【考案の効果】
【 】
従来のキーの配列の約２分の１から約４分の１のスペースで設計可能となる。
【考案を実施するための最良の形態】
【 】
小型携帯コンピューターのキーボード、携帯電話のボタン、デジタルカメラの操作ボタン等への応用。
【実施例】
【 】
なし。
【産業上の利用可能性】
【 】
【図面の簡単な説明】
【図１】  ２つのキーを同時に押す方法を採用した場合のキーボード例である。
【図２】  ４つのキーを同時に押す方法を採用した場合のキーボード例である。
【符号の説明】
【図１】  １  指、  ２  本案の入力装置、  ３  従来のキーの大きさ
【図１】
0003102631.tif 000003
【図２】
0003102631.tif 000004
【図３】
0003102631.tif 000005
【手続補正書】
【提出日】平成15年11月25日(2003.11.25)
【手続補正１】
【補正対象書類名】実用新案登録請求の範囲
【補正対象項目名】全文
【補正方法】変更
【補正の内容】
【実用新案登録請求の範囲】
【請求項１】
隣り合わせの二つ以上のキー（押しボタンスイッチ等）の境に、「一つのキー」としての割り当てをし、この境を挟んだ隣接する複数のキーを、一つの指で一度に押下することにより、「１つのキー」入力として動作する配列構造の入力装置。
【手続補正２】
【補正対象書類名】明細書
【補正対象項目名】全文
【補正方法】変更
【補正の内容】
【考案の詳細な説明】
【技術分野】
【０００１】  本考案は、携帯電話機や電子機器等の入力のためのキー入力装置の構造に関する。
【背景技術】
【０００２】  携帯電話機や電子機器等の小型化に伴い、入力のためのキーの形状は、押し込んだ際に、隣のキーと指が干渉しないように形状を工夫されてきた。  しかし、一度に一つの指で押すのは１つのキーとして設計されてきたことから、一つ一つのキーの形状や配列に制限が多かった。
【考案の開示】
【考案が解決しようとする課題】
【０００３】  携帯電話機や電子機器等の小型化に伴い、入力のためのキーを高密度に配列するには、隣接するキーへの指の干渉を避ける必要がある。  本考案は、この隣接するキーへ指が干渉することを避けて、かつ、等価的なキーの押下面積を確保しつつ、高密度のキー配列を可能とする技術である。
【課題を解決するための手段】
【０００４】  隣り合わせの二つ以上のキー（押しボタンスイッチ等）の境に、「一つのキー」としての割り当てをし、この境を挟んだ隣接する複数のキーを、一つの指で一度に押下することにより、「１つのキー」入力として動作する配列構造の入力装置。
【考案の効果】
【０００５】  二つ以上のキーで「１つのキー」として動作する構造とすることにより、キーの等価的な押下面積は、この境を挟んだ個々のキーの押下面の面積の総和分が確保されることから、個々のキーの押下面積を小さくしても、指が目的としない隣接のキーへ干渉することを避けるだけの押下面積を確保することができる。これにより、従来より高密度のキー配列を可能とする。  押下面積が同等のキー配列を、約２分の１から約４分の１の大きさで設計可能となる。
【考案を実施するための最良の形態】
【０００６】
【実施例】（１）小型携帯コンピューターのキーボード（２）ＰＤＡ、電子手帳の入力装置（３）携帯電話のボタン（４）デジタルカメラ等の小型電子機器の操作ボタン
【図面の簡単な説明】
【０００７】
【図１】一つの指で複数のキーを押す機構とした場合の動作状況
【図２】２つのキーを同時に押す方法を採用した場合のキーボード例である。  この例で、従来の一般のキーボードと等価的な押下面積を確保した場合、幅を約二分の一とすることができる。
【図３】４つのキーを同時に押す方法を採用した場合のキーボード例である。  この例で、従来の一般のキーボードと等価的な押下面積を確保した場合、大きさを、おおよそ二分の一とすることができる。
【符号の説明】
【０００８】【図１】１  指２  本考案のキー３  「１つのキー」として、割り当てた境４  等価的なキー押下面積
【図２】１  本考案のキー２  従来からのキー３  キーとキーの境の割り当て
【図３】１  本考案のキー２  従来からのキー３  キーとキーの境の割り当て
【手続補正３】
【補正対象書類名】図面
【補正対象項目名】全図
【補正方法】変更
【補正の内容】
【図１】
0003102631.tif 000006
【図２】
0003102631.tif 000007
【図３】
0003102631.tif 000008
【手続補正書】
【提出日】平成16年2月27日(2004.2.27)
【手続補正２】
【補正対象書類名】手続補正書
【補正対象項目名】手続補正４
【補正方法】削除
【補正の内容】
(57)【要約】【課題】スポーツ時、発汗時などに陰毛が包皮と亀頭に挟まれたり、陰茎に絡み付く不快感や引っ張られるために起こる激痛や怪我、不始末などを解消する。【解決手段】伸縮可能な素材、ニット、ネットなどに卵形の穴をあけた前布を下着の内側に取り付けて、陰毛と陰茎を隔離する。卵形の穴の形状は陰茎の上部と陰のうの下部を同時に無理無く通過させるための形状で、脱落防止効果を生む。この前布は陰茎と陰のう部の膨らみは不要で、上端はカフス部に、下端は股下の縫い目に固定する。前布の両側と穴の周囲はバイヤスゴ厶テープなどを取り付けることで隙間からの陰毛のはみ出しを少なくするとともに脱落防止効果も高まる。【選択図】  図２
0003102633.tif 000002
【実用新案登録請求の範囲】
【請求項１】
トランクス、ブリーフ、スポーツ用サポーターの肌側に卵形の穴を空けた前布を取り付け、この穴に陰茎と陰のうを通過させ、陰毛を隔離することにより、運動時や暑い季節の発汗、放尿時などに陰毛が亀頭と包皮の間に挟まれ、引っ張られることに依る不快感や激痛や怪我の発生および尿の飛散などの不始末、陰茎に陰毛が絡まる不快感などを防止することを特徴とする男性用下着。
なお、前布の両側と穴の周囲はバイヤスゴムテープなどを取り付けることで隙間からの陰毛のはみ出しを押え、脱落防止効果も確保する。
【考案の詳細な説明】
【技術分野】
【０００１】本考案は発汗時、陰毛が亀頭と包皮に挟み込まれたり、陰茎に絡むことによる不快感や引っ張られる際の激痛、不始末を防止するための男性用下着に関するものである。
【背景技術】
【０００２】陰部を保護し、清潔を保つため、陰部全体を覆う目的のみである。
【考案の開示】
【考案が解決しようとする課題】
【０００３】発汗時などに陰毛が包皮と亀頭に挟まれたり、陰茎に絡み付く不快感や引っ張られるための激痛や怪我、不始末などの欠点を解決しようとするものである。
【課題を解決するための手段】
【０００４】伸縮可能な素材、ニット、ネットなどに陰のうと陰茎を同時に通過させる卵形の穴を空けた前布を下着の内側に取り付けることにより陰毛と陰茎を隔離する。この前布は陰茎、陰のう部分の膨らみは不要である。
【考案の効果】
【０００５】上述のように男性用下着本来の役割に、陰毛と陰茎を隔離するための前布を増設することにより、より快適で安全な下着として着用出来る。
【考案を実施するための最良の形態】
【０００６】前布の穴は陰茎のみを通過させる程度の小さな丸い穴では脱落が発生しやすいため卵形とし、陰茎と陰のうを同時に通過させる。
この穴に陰茎の上部と陰のうの下部を掛けることで脱落防止の効果が生まれる。
前布の両側と穴の周囲にバイヤスゴムテープをとりつけ、隙間からの陰毛のはみ出しを少なくすると同時に脱落防止効果を高める。
又、前布の上端はカフス部に、下端は股下部縫い目に固定する。
【実施例】
【０００７】添付図面のとおり。
【図面の簡単な説明】
【０００８】
【図１】前布の正面図である。
【図２】考案した下着着用時の人体と前布の関係を示す断面図である。
【図３】トランクスの実施例を示す正面図である。
【図４】ブリーフ、スポーツ用サポーターの実施例を示す正面図である。
【符号の説明】
【０００９】１  前布本体
２  陰茎と陰のうを通過させる穴
３  バイヤスゴムテープ
４  人体部
５  下着の外線
【図１】
0003102633.tif 000003
【図２】
0003102633.tif 000004
【図３】
0003102633.tif 000005
【図４】
0003102633.tif 000006
【手続補正書】
【提出日】平成15年11月23日(2003.11.23)
【手続補正１】
【補正対象書類名】実用新案登録請求の範囲
【補正対象項目名】請求項１
【補正方法】変更
【補正の内容】
【請求項１】
「運動時や暑い季節の発汗により、陰毛が亀頭と包皮に挟まれたり絡み付くことによる不快感や激痛の発生や放尿時の尿の飛散などの不始末を防止することにおいて、
（１）トランクス、ブリーフ、スポーツ用サポーター等の前面肌側に卵形の穴を空けた布（前布）を取り付け、この穴に陰茎と陰のうを通過させることにより、陰毛と陰茎を隔離する。
（２）前布の素材は直接肌に触れるためネットまたはメリヤスなど柔軟なものとする。
（３）前布の両側と穴の周囲にバイヤスゴムなどを取り付け、隙間からの陰毛のはみ出しを押える。
（４）前布を卵形にすることによって、陰茎の付け根上部と陰のうの下部を固定し、脱落防止効果を確保する。
以上からなる男性用下着」
(57)【要約】  警棒の握り部に突起を付ける事によって車のマドガラスを常時装備しているピンポイント警棒で瞬時に割る事が出来る【実用新案登録請求の範囲】
【請求項１】
警棒の握に突起を付けた警棒
【考案の詳細な説明】
【考案の詳細な説明】
この考案は、警棒の握の部分に突起を付けて攻撃力に威力を増す事が目的である。  車の運転者に職務質問をする時車のマドガラスごしに話をきく、マドを開けるようにゆったが開けないで車を発進して逃げようとしている対応する事が出来る装備を取りにいかなくてはならない時、こういう咄嗟の時に、常時個人装備しているピンポイント警棒で瞬時にマドガラスを割る事が出来、すぐに対応する事が出来る。  凶器を持った相手の体に対しても攻撃力を増す事が出来る。  なお、この突起の先端部は丸みや多角形にもする事が出来る。
【図面の簡単な説明】  図面は本考案の斜視図  １は握、２は突起、３．は突起の先端部、
0003102636.tif 000002
(57)【要約】【課題】視界を邪魔することなく、夜間の盗難防止効果の高い自動車用サンシェードを提供する。【解決手段】自動車用サンシェード１０は、矩形状で遮光性の厚紙から成っている。自動車用サンシェード１０は、幅方向に平行に設けられた複数の折り目１１を有し、アコーディオン状に折り畳み可能に構成されている。自動車用サンシェード１０は、一方の長辺の中央部に矩形の切欠部１２を有している。盗難防止表示１３は、自動車用サンシェード１０の表面に設けられている。盗難防止表示１３は、暗闇で発光する蓄光剤により、盗難防止用の警報器の装着をアピールする表示から成っている。【選択図】図１
0003102058.tif 000002
【実用新案登録請求の範囲】
【請求項１】
表面に暗闇で発光する盗難防止表示を有することを特徴とする自動車用サンシェード。
【考案の詳細な説明】
【技術分野】
【０００１】
本考案は、自動車用サンシェードに関する。
【背景技術】
【０００２】
従来、自動車を駐車するとき太陽光により車内が高温になるのを防ぐため、フロントガラスに取り付けて使用されるサンシェードがある（例えば、特許文献１参照）。
ところで、近年、自動車の盗難が増加する傾向にあり、盗難防止用の警報器が普及しつつある。また、警報器の装着をアピールすることにより、盗難を未然に防止するためのステッカーが市販されている。ステッカーの中には、自動車の盗難は夜間に行われることが多いため、蓄光剤を用いて暗やみで光るものもある。
【０００３】
【特許文献１】実開平６−６８９２８号公報
【考案の開示】
【考案が解決しようとする課題】
【０００４】
しかしながら、従来のサンシェードは、昼間は日差しを遮るために用いられるが、夜間は装飾の役割しか果たしていない。また、盗難防止用のステッカーは、フロントガラスの目立つ位置に貼り付けると、運転の際に視界の邪魔になり、目立たない位置に貼り付けると警告の意味が薄れるという課題があった。
【０００５】
本考案は、このような従来の課題に着目してなされたもので、視界を邪魔することなく、夜間の盗難防止効果の高い自動車用サンシェードを提供することを目的とする。
【課題を解決するための手段】
【０００６】
上記目的を達成するために、本考案に係る自動車用サンシェードは、表面に暗闇で発光する盗難防止表示を有することを特徴とする。
【０００７】
本考案に係る自動車用サンシェードは、自動車のフロントガラスなどのガラス面から車内に入る日差しを遮るように、駐車中の車内に取り付けて使用される。これにより、昼間は駐車中の日差しを遮り、車内が高温になるのを防止することができる。夜間は、表面の盗難防止表示が発光して注意を喚起し、盗難防止効果を発揮する。なお、運転の際には、視界の邪魔にならないよう取り外しておく。
【０００８】
本考案において、盗難防止表示は、盗難防止用の警報器の装着をアピールするものが好ましい。これにより、泥棒に盗難を躊躇させ、車内の貴重品盗難を未然に防止することができる。盗難防止表示は、蓄光剤により表示されることが好ましい。その他、盗難防止表示は、電源に接続されたＬＥＤなどの発光部材から成っていてもよい。この場合、表面に太陽電池パネルを設け、昼間に太陽光で充電した電気により夜間、発光部材を発光させるようにしてもよい。盗難防止表示は、異なる図柄のものが自動車用サンシェードの両面にそれぞれ設けられていてもよい。本考案に係る自動車用サンシェードは、フロントガラスに沿って立て掛けて使用するもののほか、窓に吸盤で貼り付けて使用するものであってもよい。
【考案の効果】
【０００９】
本考案によれば、視界を邪魔することなく、夜間の盗難防止効果の高い自動車用サンシェードを提供することができる。
【考案を実施するための最良の形態】
【００１０】
以下、図面に基づき本考案の実施の形態について説明する。
図１は、本考案の実施の形態の自動車用サンシェードを示している。
図１に示すように、自動車用サンシェード１０は、矩形状で遮光性の厚紙から成っている。自動車用サンシェード１０は、幅方向に平行に設けられた複数の折り目１１を有し、アコーディオン状に折り畳み可能に構成されている。また、自動車用サンシェード１０は、一方の長辺の中央部に矩形状の切欠部１２を有している。
【００１１】
自動車用サンシェード１０は、表面に盗難防止表示１３を有している。盗難防止表示１３は、盗難防止用の警報器の装着をアピールする表示から成り、暗闇で発光する蓄光剤により印刷されている。図１に示す一例では、盗難防止表示１３は、「盗難警報器装着車」１４および「１１０番」１５の文字と、警報器が鳴っている状態を表現した図柄１６から成っている。
【００１２】
次に、作用について説明する。
図１に示すように、自動車用サンシェード１０は、自動車１のフロントガラス２から車内に入る日差しを遮るように、駐車中の車内に取り付けて使用される。このとき、自動車用サンシェード１０を拡げ、盗難防止表示１３を有する表面をフロントガラス２の側に向け、切欠部１２を上側にし、下縁をダッシュボード３の上部に載せる。切欠部１２からルームミラー４を通し、上縁をルームミラー４で支持するようにして、自動車用サンシェード１０をフロントガラス２に沿って取り付ける。
【００１３】
これにより、自動車用サンシェード１０は、昼間は駐車中の日差しを遮り、車内が高温になるのを防止することができる。夜間は、表面の盗難防止表示１３が発光して注意を喚起し、盗難防止効果を発揮する。図１に示す例では、盗難防止表示１３が盗難防止用の警報器の装着をアピールするものであるため、泥棒に盗難を躊躇させ、車内の貴重品盗難を未然に防止することができる。
【００１４】
なお、運転の際には、視界の邪魔にならないよう取り外しておく。取り外したときには、小さく折り畳んで保管することができる。自動車用サンシェード１０は、大型車、普通車、小型車など窓の大きさに合わせて数種類の大きさのものを製造することが好ましい。
【図面の簡単な説明】
【００１５】
【図１】本考案の実施の形態の自動車用サンシェードの使用状態を示す正面図である。
【符号の説明】
【００１６】
１    自動車
２    フロントガラス
３    ダッシュボード
４    ルームミラー
１０  自動車用サンシェード
１１  折り目
１２  切欠部
１３  盗難防止表示
【図１】
0003102058.tif 000003
(57)【要約】      （修正有）【課題】サポーターの機能も有し、かつ自然治癒力を高めるサポーターを提供する。【解決手段】サポーターなどに、弾力性のあるゴム等を、左上がりに、縫いこで、体に、テーピングしたのと同じ効果をもたせる。【選択図】図１
0003102059.tif 000002
【実用新案登録請求の範囲】
【請求項１】
弾力性のあるゴム等を、左上がりに縫いこんだ、テーピング効果のある衣料雑貨
【考案の詳細な説明】
【考案の開示】
【考案が解決しようとする課題】
【０００１】  従来のサポーターは、保温または、固定するだけのものが多かった。サポーターの機能も有し、かつ自然治癒力を高めるサポーターの開発が待たれた。また毎日使う下着や靴下を有効に使いたい。
【課題を解決するための手段】
【０００２】  サポーター、下着、靴下等に弾力性のあるゴム等を、左上がりに縫いこむ。
【考案の効果】
【０００３】    サポーター、下着、靴下を着るだけで、テーピングをしたと同様の効果がある。
【図面の簡単な説明】
【図１】サポーターにゴム等を縫いこんだ平面図である。
【図２】下着にゴム等を縫いこんだ平面図である。
【図３】靴下に縫いこんだ平面図である。
【符号の説明】
１  ゴム等
【図１】
0003102059.tif 000003
【図２】
0003102059.tif 000004
【図３】
0003102059.tif 000005
(57)【要約】【課題】  本考案は、設営、分解、移設等を容易かつ迅速に行えるようにされた什器を提供する。【解決手段】  本考案は、一対の支柱材（１）の相対する壁面に複数のリブ（２）を設け、該壁面に差し渡される複数のレール（３）の端部（４）に嵌合され、該レール（３）に形成されたスリット（３ｂ）に、複数本のハンガー部材（５ｂ）の基部（７）を左右方向スライド可能に支持することから構成されているとともに、設営、分解、移設等を容易かつ迅速に行えるものである。【選択図】  図１
0003102060.tif 000002
【実用新案登録請求の範囲】
【請求項１】
一対の支柱材の相対する壁面に複数のリブを設け、該壁面に差し渡される複数のレールの端部に嵌合され、該レールに形成されたスリットに、複数本のハンガー部材の基部を左右方向スライド可能に支持することからなるとともに、設営、分解、移設等を容易かつ迅速に行える什器。
【考案の詳細な説明】
【技術分野】
【０００１】  本考案は、各種商品を吊り下げ陳列する際に用いられる商品陳列用什器に関するものである。
【背景の技術】
【０００２】  従来から店頭において商品を陳列する際什器として、その目的に応じた様々な物が用いられており、起立させた紙製等のパネルの前面にハンガー用の溝を穿設し、該ハンガーを直接、パネルに係止した物が知られている。
【０００３】  また、陳列棚自体に商品吊り下げ用のハンガーを仮設する方法が用いられている。
【考案が解決しようとする課題】
【０００４】  しかしながら、上記のように、紙製等のパネル自体にハンガーを係止した場合、商品に応じてハンガーの間隔を変えることが出来ず、陳列できる商品が限定されてしまうという欠点があった。
【０００５】  また、陳列棚自体にハンガーを仮設した場合、陳列棚を容易に移動できないうえ、設営も大掛かりになってしまうという問題がある。
【０００６】  本考案は上記のような実情を鑑みたものであり、容易に設営でき、店頭のスペースや商品の大きさや数量、あるいは陳列の高さ及び間隔を変えることが可能な商品陳列用什器の提供を目的とするものである。
【課題を解決する為の手段】
【０００７】  本考案の什器は、一対の支柱材の相対する壁面に複数のリブを設け、該壁面に差し渡される複数のレールの端部に嵌合され、該レールに形成されたスリットに、複数本のハンガー部材の基部を左右方向スライド可能に支持することからなるものであり、上記レールは嵌合する上記支柱材に設けた複数のリブを選択することで、レールの高さを調節する手段を備えていることを特徴とする。
【０００８】  上記の構成をとる本考案の什器は店頭の設置条件に応じて、容易に設営し、商品の吊り下げをおこなうことができるものである。また、上記レールは、嵌合する上記支柱材に設けた複数のリブを選択することで、レールの高さを調節することが可能であり、商品の高さに応じた効率的な陳列ができる。そして、レールに支持されたハンガーを左右にスライドさせることで、ハンガーの間隔を変えることで、商品の大きさに応じた陳列ができ、このレールの長さを長く設定することで、より多くの商品の陳列も可能になる。
【０００９】  また、他の陳列構造を組み合わせる等で、複合的な陳列態様も可能となる。
【考案の実施形態】
【００１０】この考案は上記の手段を講じたので、一対の支柱材と複数のレールと複数本のハンガー部材を組み合わせた什器の構成により、支柱材に設けた複数のリブを選択することでレールの高さを調節する手段を備えるようにした。
【実施例】
【００１１】  図１は本考案の什器の一例を示している。この什器は、一対の支柱材（１）の相対する壁面に突起状の複数のリブ（２）を設け、該壁面に差し渡される複数のレール（３）の端部（４）に嵌合され、該レール（３）に形成されたスリット（３ｂ）に、複数のハンガー部材（５）の基部（５ｂ）を左右方向スライド可能に支持することから構成されている。【００１３】  上記ハンガー部材（５）は、複数個の商品を前後方向に重ねて吊り下げることのできる棒状のハンガー部（５ａ）と基部（５ｂ）からなる。また、上記レール（３）は、平板の上部及び下部を手前に屈曲させることで、図１に示すようにハンガー部材（５）の基部（６ｂ）をスライド可能に挟持する挟持部（３ａ）が形成されている。また、このレール（３）の両端部は開放されている。さらに、この挟持部（３ａ）の挟持幅を、上記ハンガー部材（５）の基部（５ｂ）のスライド動作をスムーズにするために、基部（５ｂ）寸法よりも若干大きく設定することで、ハンガー（６）の取り外し及び追加を適宜行うことができるものである。【００１４】  上記支柱材（１）は図１及び図２で示すように、一端側に設置面に平行に設けられた底面（１ａ）からなる支柱基台部（１ｂ）を形成するものである。【００１５】  上記リブ（２）は複数、上下方向に設けることで、複数のレール（３）を嵌合でき、さらに、各レール（３）の高さを調節できる手段を備えることができる。また、レールに支持されたハンガー部材（５）を左右にスライドさせることで、ハンガーの間隔を変えることができ、商品の大きさに応じた陳列が可能となる。さらに、このレールの長さを長く設定することで、より多くの商品の陳列も可能になる。【００１５】  このように構成された什器は、全体は小型で棒状部材、平板状部材等の組み合わせとなり、軽量で、且つ店頭の設置条件に応じ、什器の設営や調節を簡単に行うことが可能である。【００１６】  また、図４に示すようにこの什器においては、一対の支柱材（１）の相対する面以外のの例えば反対側の面にも、複数のリブ（２）を設け、複数のレール（３）の端部（４）を嵌合することで、容易に様々な陳列態様を実現することが可能となる。
【発明の効果】
【００１７】  以上に述べたように、本考案の什器は、一対の支柱材の相対する壁面に複数のリブを設け、該壁面に差し渡される複数のレールの端部に嵌合され、該レールに形成されたスリットに、複数本のハンガー部材の基部を左右方向スライド可能に支持することからなるものであり、上記レールは嵌合する上記支柱材に設けた複数のリブを選択することで、レールの高さを調節する手段を備えることができ、店頭の設置条件に応じ、什器の設営や調節を簡単に行うことが可能となる。
【図面の簡単な説明】
【００１８】
【図１】本考案の什器の実施一例の組み立て順序を示す斜視図である。
【図２】図１に示す什器の側面図である。
【図３】図２に示す什器の、支柱材の断面図である。
【図４】本考案の什器の複合的な陳列態様示した斜視図である。
【符号の説明】
【００１９】  １  支柱材
２  リブ
３  レール
４  端部
５  ハンガー部材
【図１】
0003102060.tif 000003
【図２】
0003102060.tif 000004
【図３】
0003102060.tif 000005
【図４】
0003102060.tif 000006
(57)【要約】【課題】円偏光の偏光フィルタを使用したときの上記光学ファインダにおける着色を抑え、違和感のない被写体の像を光学ファインダで得られるようにする。【解決手段】偏光膜の裏面に、偏光膜の偏光軸方向に交差する偏光方向の偏光光が１／４位相差板に入射するときの円偏光回転効率Ａと、偏光膜の偏光軸方向に平行な偏光方向の偏光光が１／４位相差板に入射するときの円偏光回転効率Ｂとが、可視光波長の範囲の少なくとも二波長で一致し、該二波長間で連続して近似している特性の１／４位相差板を重ね合わせた。【選択図】    図２
0003102056.tif 000002
【実用新案登録請求の範囲】
【請求項１】
偏光膜の裏面に１／４位相差板が重ね合わされてなり、前記１／４位相差板は、偏光膜の偏光軸方向に交差する偏光方向の偏光光が１／４位相差板に入射するときの円偏光回転効率と、偏光膜の偏光軸方向に平行な偏光方向の偏光光が１／４位相差板に入射するときの円偏光回転効率とが、可視光波長の範囲の少なくとも二波長で一致し、該二波長間で連続して近似していることを特徴とする偏光フィルタ。
【考案の詳細な説明】
【技術分野】
【０００１】
本考案は、写真カメラのレンズに装着する円偏光の偏光フィルタに関するものである。
【背景技術】
【０００２】
従来から偏光フィルタには通常の偏光フィルタ（直線偏光）と円偏光の偏光フィルタとがある。どちらの偏光フィルタも写真撮影時の反射光の入り込みを抑え、色彩が強調されためりはりのある写真を得たい場合に使用されるが、測光や測距のセンサーまでの光路にハーフミラーを使用している自動焦点（ＡＦ）カメラに対して通常の偏光フィルタ（直線偏光フィルタ）を使用すると測定誤差が生じて測光や測距が正確に行われないため、自動焦点カメラには円偏光の偏光フィルタが用いられていた。
【考案の開示】
【考案が解決しようとする課題】
【０００３】
ところで写真カメラのレンズに装着する通常の偏光フィルタは偏光膜を保護ガラスの間に配置したものであり、また円偏光フィルタは前記通常の偏光フィルタの偏光膜の裏面側に１／４位相差板を介在させたものである。そして、前記１／４位相差板では可視光域中の５５０ｎｍを規定波長として、この一つの規定波長の下で円偏光回転効率が真円となるように設定されている。
しかしながら、この従来の１／４位相差板では、図３に示されているように偏光膜の偏光軸方向に交差する偏光方向の偏光光が１／４位相差板に入射するときの円偏光回転効率Ａと、偏光膜の偏光軸方向に平行な偏光方向の偏光光が１／４位相差板に入射するときの円偏光回転効率Ｂとが、可視光域の上記規定波長の５５０ｎｍで一致するだけであって、４００〜７００ｎｍの可視光域で楕円（縦長辺）→真円→楕円（横長辺）と連続的に円偏光の円形が変化していくものとなっており、そのため、使用に際して真円の規定波長から離れる波長の光（真円の円偏光としてはコントロールされない波長の光）によって一眼レフカメラにおける光学ファインダ内の像の着色が強調されて、光学ファインダでの被写体に違和感を生じさせるという不都合があった。
そこで本考案は上記事情に鑑み、円偏光の偏光フィルタを使用したときの上記光学ファインダにおける着色を抑えることを課題とし、違和感のない被写体の像を光学ファインダで得られるようにすることを目的とするものである。
【課題を解決するための手段】
【０００４】
本考案は上気した課題を考慮してなされたもので、偏光膜の裏面に１／４位相差板が重ね合わされてなり、前記１／４位相差板は、偏光膜の偏光軸方向に交差する偏光方向の偏光光が１／４位相差板に入射するときの円偏光回転効率と、偏光膜の偏光軸方向に平行な偏光方向の偏光光が１／４位相差板に入射するときの円偏光回転効率とが、可視光波長の範囲の少なくとも二波長で一致し、該二波長間で連続して近似していることを特徴とする偏光フィルタを提供して、上記課題を解消するものである。
【考案の効果】
【０００５】
本考案の構成によれば、１／４位相差板が、４００〜７００ｎｍの可視光域における少なくとも二波長で円偏光が真円の状態となるとともに、その二波長の連続する波長域で偏光膜の偏光軸方向に交差する偏光方向の偏光光の円偏光回転効率と、偏光膜の偏光軸方向に平行な偏光方向の偏光光の円偏光回転効率とが連続して近似しているので、円偏光が真円状態である波長から離れる波長の光でも、その円偏光での円形がほぼ真円にコントロールされ。よって、光学ファインダ内の像の色付が抑えられるようになり、光学ファインダでの被写体に対する違和感を大きく軽減することができるなど、実用性に優れた効果を奏するものである。
【考案を実施するための最良の形態】
【０００６】
つぎに本考案を実施の形態に基づいて詳細に説明する。
図１は本考案に係る偏光フィルタ１の構成を断面で示しているものであって、本偏光フィルタ１は偏光膜２の裏面に１／４位相差版３を重ね合わせ、この両者が間となるようにして保護ガラス４が重ね合わされているものである。そして、本考案において前記１／４位相差版３が図２に示す特性を有している。この図２には、偏光膜の偏光軸方向に交差する偏光方向の偏光光が１／４位相差板に入射するときの円偏光回転効率Ａと、偏光膜の偏光軸方向に平行な偏光方向の偏光光が１／４位相差板に入射するときの円偏光回転効率Ｂとが示されている。そして、図示されているように４００〜７００ｎｍの可視光域において、前記円偏光回転効率Ａと円偏光回転効率Ｂとが約４５０ｎｍと約５７０ｎｍの波長の光のときに一致して円偏光の円形がそれぞれ真円となり、さらに約４５０ｎｍと約５７０ｎｍの二波長間で円偏光回転効率Ａと円偏光回転効率Ｂとの近似状態が連続している。
【０００７】
上記特性の１／４位相差版３が可視光域における円偏光の円形を平均的に真円から僅かに楕円になった状態にとどめるようになっているものであることから、上記約４５０ｎｍと約５７０ｎｍの波長から離れる波長の光であってもほぼ円偏光が真円に近い状態で制御されるようになり、この１／４位相差版３を備える本偏光フィルタ１を装着した自動焦点カメラにおける光学ファインダで被写体を見た場合でも色付を抑え、違和感なく被写体をとらえることができるものとなる。
【図面の簡単な説明】
【０００８】
【図１】本考案に係る偏光フィルタの一例を断面で示す説明図である。
【図２】一例における１／４位相差版の円偏光回転効率をグラフで示す説明図である。
【図３】従来の偏光フィルタにおける１／４位相差版の円偏光回転効率をグラフで示す説明図である。
【符号の説明】
【０００９】
１…偏光フィルタ
２…偏光膜
３…１／４位相差版
４…保護ガラス
Ａ…偏光膜の偏光軸方向に交差する偏光方向の偏光光が１／４位相差板に入射するときの円偏光回転効率
Ｂ…偏光膜の偏光軸方向に平行な偏光方向の偏光光が１／４位相差板に入射するときの円偏光回転効率
【図１】
0003102056.tif 000003
【図２】
0003102056.tif 000004
【図３】
0003102056.tif 000005
(57)【要約】【構成】ドーム状の帽子本体の頂部に通気孔を形成し、この通気孔を介して前記帽子の内部と外部とを連通させた帽子である。【効果】前記帽子本体の通気孔を介して帽子本体の内側頂部に滞留する空気を換気することができる結果、帽子の内面頂部に溜まりやすい湿気た暑い空気を略完全に換気でき、よって、帽子着用者は快適な状態を充分に維持することができる。又は、ドーム状の帽子本体の頂部に通気孔を形成するとともにこの帽子本体の斜面部に補助通気孔を形成し、前記通気孔および前記補助通気孔を介して前記帽子の内部と外部とを連通させるとともに前記通気孔は前記補助通気孔よりも大径にすれば、さらに、帽子本体の目立ちやすい斜面部の補助通気孔を小径にして目立ちにくくすることにより帽子のデザイン性を向上させることができる。  【選択図】    図１
0003102039.tif 000002
【実用新案登録請求の範囲】
【請求項１】
ドーム状の帽子本体の頂部に通気孔を形成し、この通気孔を介して前記帽子の内部と外部とを連通させることを特徴とする帽子。
【請求項２】
ドーム状の帽子本体の頂部に通気孔を形成するとともにこの帽子本体の斜面部に補助通気孔を形成し、前記通気孔および前記補助通気孔を介して前記帽子の内部と外部とを連通させるとともに前記通気孔は前記補助通気孔よりも大径であることを特徴とする帽子。
【考案の詳細な説明】
【技術分野】
【０００１】
この考案は帽子に関し、特に、運動用に使用されるものである。
【背景技術】
【０００２】
従来における運動用帽子は、ドーム状の帽子本体の斜面部に複数の通気孔が所定間隔で円状に形成されており、この通気孔を介して、帽子内外の空気の流通を図ることによって換気し、帽子内が必要以上に湿気たり暑くなったりしないようにしていた。
【０００３】
【特許文献１】実登録第３０９１９８４号
【考案の開示】
【考案が解決しようとする課題】
【０００４】
しかしながら、帽子内の湿気た暑い空気は頂部に滞留するにもかかわらず、従来の帽子にあっては、その通気孔がドーム状の帽子本体の斜面部に形成されていたため、帽子の内面頂部に溜まりやすい湿気た暑い空気を換気しにくく、この結果、帽子着用者は快適な状態を維持しにくいという不都合を有した。
【０００５】
この考案の課題はかかる不都合を解消することである。
【課題を解決するための手段】
【０００６】
上記課題を達成するために、この考案に係る帽子においては、ドーム状の帽子本体の頂部に通気孔を形成し、この通気孔を介して前記帽子の内部と外部とを連通させたものである。
【０００７】
又は、ドーム状の帽子本体の頂部に通気孔を形成するとともにこの帽子本体の斜面部に補助通気孔を形成し、前記通気孔および前記補助通気孔を介して前記帽子の内部と外部とを連通させるとともに前記通気孔は前記補助通気孔よりも大径にしたものである。
【考案の効果】
【０００８】
この考案に係る帽子は、ドーム状の帽子本体の頂部に通気孔を形成し、この通気孔を介して前記帽子の内部と外部とを連通させたため、この通気孔を介して帽子本体の内側頂部に滞留する空気を換気することができる結果、帽子の内面頂部に溜まりやすい湿気た暑い空気を略完全に換気でき、よって、帽子着用者は快適な状態を充分に維持することができる。
【０００９】
又は、この考案に係る帽子は、ドーム状の帽子本体の頂部に通気孔を形成するとともにこの帽子本体の斜面部に補助通気孔を形成し、前記通気孔および前記補助通気孔を介して前記帽子の内部と外部とを連通させるとともに前記通気孔は前記補助通気孔よりも大径にしたため、前記頂部の通気孔を介して、換気が行われる結果、帽子の内面頂部に溜まりやすい湿気た暑い空気を略完全に換気して帽子着用者の快適な状態を充分に維持することができるとともに、帽子本体の目立ちやすい斜面部の補助通気孔を小径にして目立ちにくくすることにより帽子のデザイン性を向上させることができる。
【考案を実施するための最良の形態】
【００１０】
図１はこの考案に係る帽子の斜め上方からの斜視図、図２は同内側から見た斜視図である。
【００１１】
図１および図２において、10は帽子であり、ドーム状の帽子本体20とこの帽子本体20の縁部前側に取付けられたつば30とから構成されている。
【００１２】
前記帽子本体20は、複数の扇状布材21,21,…を連結テープ22,22,…を介在させて縫着させることにより、ドーム状に形成されている。このため、この連結テープ22,22,…は帽子本体20の裏側を、その頂部を中心として交差した状態になっている（図２を参照のこと）。
【００１３】
23はＵ状カット部であり、前記帽子本体20の周縁の後側に形成されている。このＵ状カット部23の間には、長さ調整具50が取り付けられおり、この長さ調整具50を調整することによって、前記帽子本体20の周縁の長さを調整することができる。
【００１４】
60はテープ状のビン皮であり、前記帽子本体20の内側周縁部に重ねられ、その周端縁に沿って縫着されている。このため、汗処理をすばやくし、帽子10内を快適に保つことができる。このビン皮60によって、帽子使用者は帽子を滑らかに被ることができる。
【００１５】
なお、70は形状支持具であり、帽子本体20の形状を保つためのものである。
【００１６】
80,80,…は補助通気孔であり、前記帽子本体20の前記扇状布材21,21,…に、環状に（頂部を中心とした）、一定間隔を介して形成されている。この補助通気孔80,80 は前記帽子本体20内の斜面部の換気を補助的に行うためのものであり、その孔の周縁は帽子本体20と同色の糸81,81,…でかがられて補強されている。なお、鳩目等で補強することもできる。
【００１７】
90はこの考案に係る通気孔であり、前記帽子本体20の頂部における前記連結テープ22,22,…の交差する部分に形成されている。この通気孔90は、前記帽子本体20内の換気を行うためのものであり、特に、内側頂部に滞留した湿気た暑い空気の換気を行うのに適している。この通気孔90も、前記補助通気孔80と同様に、その孔の周縁は帽子本体20と同色の糸91でかがられて補強されている。なお、鳩目等で補強することもできる。
【００１８】
なお、この通気孔90は前記補助通気孔80よりも大径にしたため、主として、この通気孔90を介して、換気が行われる結果、前記補助通気孔90は、小径にして目立ちにくくすることができる結果、帽子本体20の目立ちやすい斜面部のデザイン性を向上させることができる。
【産業上の利用可能性】
【００１９】
帽子着用者が快適な状態でスポーツを楽しむために、特に、運動用の帽子として利用することができる。
【図面の簡単な説明】
【００２０】
【図１】図１はこの考案に係る帽子の斜め上方からの斜視図である。
【図２】図２は同内側から見た斜視図である。
【符号の説明】
【００２１】
10  …  帽子
20  …  帽子本体
80  …  補助通気孔
90  …  通気孔
【図１】
0003102039.tif 000003
【図２】
0003102039.tif 000004
(57)【要約】      （修正有）【課題】ボルトとナットを一体化し緩み止め装置本体を締付け材に固定する事無くうず巻きバネの開放力をナットに与えボルトの緩み防止を可能とし、また容易に緩み止め装置の取付けを可能とする事。【解決手段】緩み止め装置を締め付け材に固定する事無くうず巻きバネ開放力を利用し常時ナットに締付け方向の力を与える為に、ナット外周面にラチェット溝を設けカム機構を利用しうず巻きバネ開放力をナットに与える事で、ナットを自動的に締込み隙間の発生を事前に防止する。ボルトへの装置の取付け方法はラチェット溝付ナット使用とボルト余長部にン穴を設けることで容易に設置できる。【選択図】図１
0003102040.tif 000002
【実用新案登録請求の範囲】
【請求項１】
うず巻きバネ１の原理を利用してうず巻きバネ１の内支点９をボルト２に固定し外支点１０をナット５に結合可能構造にしてうず巻きバネ１の開放力をナット５の締付け力として利用するボルトの緩み防止装置。
【請求項２】
前記機能を持つ装置はボルト２の余長部に固定用ピン４の穴を設け、うず巻きバネ１の結合を行い、ナット５外周面にはラチェット溝８を設けカム７と勘合させる請求項１のボルトの緩み防止装置。
【請求項３】
前記機能でうず巻きバネ１の内支点９の結合を容易にする為の接続片３は円周上にピン４と結合するためのピン接続用溝１２うず巻きバネ１と結合の為の切り欠き溝１１を有し、ピン接続用溝１２はピン４が貫通する事で装置全体の脱落防止の機能を兼ね添えて装置の取り付けの安全性を増す請求項１および請求項２のボルト緩み防止装置。
【考案の詳細な説明】
【考案の詳細な説明】
【技術分野】
【０００１】  本考案は、ボルトの締付後発生する緩みに関して、ナットに常時締付力を与え緩みが生じた場合締付力が作用しナットを締め込む装置である。装置の取り付けはボルトの余長部に固定ピン用の穴を設ける事で容易に取り付けが可能となる。
【背景技術】
【０００２】  ボルトの緩み防止は、ダブルナット、ネジ部の改造、座金、緩み止め装置本体を締付け材に固定しうず巻きばね開放力を利用し締付ける装置が開発されている。しかし緩み止め装置本体を締付け材に固定する事無くうず巻きバネの開放力を直接ナットに与え締付け力とする製品は無い。
【考案が解決しようとする課題】
【０００３】  本考案は、上記の様な従来技術の欠点を解消する為にボルトとナットを一体化し緩み止め装置本体を締付け材に固定する事無くうず巻きバネの開放力をナットに与えボルトの緩み防止を可能とし、また容易に緩み止め装置の取付けを可能とする事を課題とする。
【課題を解決する為の手段】
【０００４】  本考案の課題は、ナット５外周面にラチェット溝８を設けカム機構を利用しうず巻きバネ１の開放力をナット５に与えナットの締付け力とする。ボルト２とナット５を一体化させる為にボルト２の余長部にピン４用穴を設け、接続片３を固定しうず巻きバネ１の内支点９を接続片３に結合しボルト２に固定し、うず巻きバネ１の外支点１０を外胴６に結合し外胴６に取付けられたカム７がナット外周面のラチェット溝８に勘合する事で一体化され、緩め止め装置を締付け材に固定する事無くうず巻きバネ１の開放力をボルトの緩み防止力として作用させる事で解決される。
【考案を実施するための最良の形態】
【０００５】  以下、本考案にかかるボルトの緩み防止装置のうず巻きバネ１の開放力伝達の作動形態を添付する図を参照しながら詳述する。図１は本考案にかかる緩み防止装置の構成を示す図である。緩み防止装置はボルト２の余長部を貫通するピン４と接続片３が結合しボルト２と接続片３が固定されている。ボルト２に固定された接続片３にうず巻きバネ１の図２の内支点９が接続片３と結合している。図２のうず巻きバネ１の外支点１０は外胴６と結合している。図３の外胴５に設置されたカム７がナット５のラチェット溝８に勘合している。
図２はボルト２、接続片３、ピン４、うず巻きバネ１、外胴６の結合状態を示している。図２の外胴６を左方向に回転させる事で、うず巻きバネ１は内支点９がボルトに固定されている為、うず巻きバネ１は圧縮力が蓄えられる。図３は外胴６に設けられたカム７とナット５に設けられたラチェット溝８との勘合状態を示している。外胴６を左方向に回転させた場合はカム７とラチェット溝８はフリーの状態でナット５の周上を滑りスムーズに回転する。
図２の外胴６の左方向回転を止めると、うず巻きバネ１に蓄えられ圧縮力はうず巻きバネ１を解放する力に変わり外胴６を右方向に戻す力となりこの力はカム７に伝わる。カム７はこの時ナット５のラチェット溝８に勘合しロック状態となる。ロック状態でうず巻きバネ１の開放力が直接ナット５に伝わりナット５を締め込む方向に作用する。振動、締付け材の痩せ等で締め付け力が減少した場合は再度外胴６を左方向に回転させる事でナットの締付け力の回復が図れる。
【考案の効果】
【０００６】  本考案にかかるボルトの緩み防止機能により振動、締付け材の痩せ等による隙間発生に依るボルトの緩みを防止し、機器の損傷、振動防止が可能となる。また緩み止め装置の取付けが容易に行える。
【図面の簡単な説明】
【図１】本考案に関るボルトの緩み防止装置の構成を示す構成図である。
【図２】ボルト、接続片、うず巻きバネ、外胴の結合を示す構成図である。
【図３】カムとナットの勘合状態を示す構成図である。
【図４】接続片に設ける溝切欠き位置を示す構成図である。
【符号の説明】
１  うず巻きバネ
２  ボルト
３  接続片
４  ピン
５  ナット
６  外胴
７  カム
８  ラチェット溝
９  うず巻きバネ内支点
１０  うず巻きバネ外支点
１１  うず巻きバネ結合切り欠き溝
１２  ピン接続用溝
【図１】
0003102040.tif 000003
【図２】
0003102040.tif 000004
【図３】
0003102040.tif 000005
【図４】
0003102040.tif 000006
(57)【要約】【課題】  アラーム音発生機能を有するＦＭ／ＡＭラジオ受信機において、振動アラームも利用可能とすることにある。【解決手段】  アラームスイッチ１ｄがオンであって、アラーム音の発生可能状態の時、ＦＭ／ＡＭラジオ受信機１のジャック３に振動器２の接続端子２ａを挿入して接続する。  所望設定時刻になると、アラーム音の代りに振動器２が振動し、振動アラームモードになる。振動器２を外せば、アラーム音がスピーカ１ｅから出る。【選択図】  図１
0003102064.tif 000002
【実用新案登録請求の範囲】
【請求項１】
所定設定時刻にアラーム音を発生するアラーム音発生手段を有するラジオ受信機において、振動器と、該振動器を上記ラジオ受信機に接続すると、上記アラーム音発生手段をオフにして上記時刻に上記振動器を振動させる振動器駆動手段と、を備えたことを特徴とするラジオ受信機。
【請求項２】
アラーム音発生をラジオ受信よりも優先させるアラームスイッチを有し、該アラームスイッチのオン時に前記振動器駆動手段を作動させるように構成したことを特徴とする請求項１記載のラジオ受信機。
【請求項３】
前記ラジオ受信機は振動器ジャックを有し、該ジャックに前記振動器の接続端子を挿入した時、アラーム音が発生せず、振動のみが発生するように構成したことを特徴とする請求項１又は２記載のラジオ受信機。
【考案の詳細な説明】
【技術分野】
【０００１】
本考案は、ＦＭ／ＡＭラジオ受信機に係り、特に振動アラーム機能を有するラジオ受信機に関する。
【背景技術】
【０００２】
ＦＭ／ＡＭラジオ受信機において、所定設定時刻になると、アラーム音を発生するアラーム音発生機能を有するものは周知である。
【０００３】
しかるに、上記アラーム音を鳴らすと、周囲の他人に迷惑になってしまう場合がある。また、アラームを設定しようとする人が、耳が遠かったりすると、アラーム音がよく聞こえず、アラーム機能が無意味となってしまうことがある。
【考案の開示】
【考案が解決しようとする課題】
【０００４】
本考案の課題はアラーム音と、振動アラームを選択的に発生可能とすることにより、周囲の他人の迷惑を防止し、また聴覚障害者でもアラーム機能を利用できるようにすることである。
【課題を解決するための手段】
【０００５】
上記課題を解決するため、本考案は、所定設定時刻にアラーム音を発生するアラーム音発生手段を有するラジオ受信機において、振動器と、該振動器を上記ラジオ受信機に接続すると、上記アラーム音発生手段をオフにして上記時刻に上記振動器を振動させる振動器駆動手段と、を備えたことを要旨とする。
【０００６】
また、上記考案において、アラーム音発生をラジオ受信よりも優先させるアラームスイッチを有し、該アラームスイッチのオン時に前記振動器駆動手段を作動させるように構成してもよい。
【０００７】
更に、上記考案において、前記ラジオ受信機は振動器ジャックを有し、該ジャックに前記振動器の接続端子を挿入した時、アラーム音が発生せず、振動のみが発生するように構成してもよい。
【考案の効果】
【０００８】
本考案によれば、アラーム音の発生により他人に迷惑が及ぶ時は、振動アラームを選択して、アラーム設定者のみにアラームを告知できる。また、聴覚障害者でもアラーム機能を利用可能となる。
【考案を実施するための最良の形態】
【０００９】
アラームスイッチをオンにしておいて、所定のアラーム設定時刻になると、アラーム音を発生するＦＭ／ＡＭラジオ受信機であって、振動器ジャックを有する。該ジャックに振動器のコードの接続端子を挿入すると、アラーム音は鳴らなくなり、振動器が振動し、振動アラームのモードとなる。
【実施例】
【００１０】
図１は本考案によるＦＭ／ＡＭラジオ受信機の一実施例を示す。同図において、１は公知のＦＭ／ＡＭラジオ受信機であって、例えば、ＦＭ／ＡＭラジオ受信機１ａ、アラーム設定時刻調整回路１ｂ、アラーム音信号発生回路１ｃ、アラームスイッチ１ｄ、スピーカ１ｅ、制御回路（ＣＰＵ）１ｆ、ＲＯＭ１ｇ等を有し、その他種々の機能を有する回路が存在するが、ここでは、アラーム音発生機能に関係する回路のみを示し、他は省略する。なお、ＲＯＭ１ｇは各回路を制御するための制御ステップから成るソフト等が格納されている。
【００１１】
アラーム設定時刻調整回路１ｂはラジオ受信機の時計（図示せず）の時刻設定用針を所望時刻に設定すると、ラジオ受信中にその時刻になると、設定時刻信号を発生し、制御回路１ｆに送る。この時、アラームスイッチ１ｄがオンであると、制御回路１ｆは上記信号に応答してアラーム音信号発生回路１ｃからのアラーム音信号を、ＦＭ／ＡＭラジオ受信回路１ａからの受信信号に優先してスピーカ１ｅに送り、アラーム音を鳴らす。アラームスイッチ１ｄをオフにすると、アラーム音を止めラジオ受信に戻す。
【００１２】
本考案は、上述したアラーム音発生機能を有するラジオ受信機において、振動アラーム機能も利用可能とするため、振動器２を受信機１のジャック３に接続可能に構成する。４は振動器駆動回路である。
【００１３】
アラームスイッチ１ｄがオンの時、振動器２の接続端子２ａをジャック３に挿入して接続すると、制御回路１ｆはアラーム音信号をスピーカ１ｅに送ることなく、振動器２を駆動させる。従って、アラーム音は鳴ることなく、振動が発生し、振動アラームモードになる。アラームスイッチ１ｄをオフにすると、振動は停止する。
【産業上の利用可能性】
【００１４】
アラーム機能を有するラジオ受信機において、アラーム音と振動アラームとを選択的に利用可能である。
【図面の簡単な説明】
【００１５】
【図１】図１は本考案の一実施例を示すブロック図である。
【符号の説明】
【００１６】
１  ＦＭ／ＡＭラジオ受信機
１ａ  ＦＭ／ＡＭラジオ受信回路
１ｂ  アラーム設定時刻調整回路
１ｃ  アラーム音信号発生回路
１ｄ  アラームスイッチ
１ｅ  スピーカ
１ｆ  制御回路
２  振動器
３  ジャック
４  振動器駆動回路
【図１】
0003102064.tif 000003